(57)【要約】【課題】  設定操作を従来より簡略化することができる画像形成装置を提供する。【解決手段】  ユーザが複写を行う場合、まず、自身が所属する部署のＩＤを入力する（Ｓ１）。これらのＩＤが入力されると、制御部が入力されたＩＤを認証する。次に、制御部は、ＲＡＭからユーザＩＤに対応する設定内容を読み出し、タッチパネル部のＬＣＤ表示器に表示し、ユーザが操作キー部において選択のキー操作を行うと、制御部が選択された設定内容に従って複写の初期設定を行う。ユーザが上記の初期設定を利用する時は、次に、設定変更の必要があれば、設定変更を行う（Ｓ９）。そして、操作キー部のジョブスタートボタンをオンとする。以後、複写が実行され（Ｓ５）、次いで、設定枚数の複写が終了すると、その複写処理における設定状態が、ＲＡＭ内のユーザの所属部署名（ＩＤ）と共に記憶エリア内に記憶される（Ｓ６）。【選択図】    図２
2007027827.tif 000002
【特許請求の範囲】
【請求項１】
画像データを読み取る読取手段と、画像形成のための各種の設定情報を入力する入力手段と、前記設定情報に基づいて各部を設定する設定手段と、前記読取手段によって読み取られた画像データに、前記設定手段による設定に基づく所定の画像編集処理を加える画像編集手段と、前記画像編集手段による編集済みの画像データに基づいて画像形成処理を行う画像形成手段とを有する画像形成装置において、
前記設定情報が記憶される記憶手段と、
前記記憶手段から前記設定情報を読み出し、ユーザへ提示する設定情報提示手段と、
ユーザによって選択された設定情報を前記設定手段へ出力する出力手段と、
画像形成ジョブが終了した時点で各部の設定状態を前記記憶手段に書き込む書込手段とを具備し、
前記ユーザによって選択された設定情報は、ユーザによって設定変更可能なことを特徴とする画像形成装置。
【請求項２】
前記入力手段を介して入力されたユーザＩＤに基づいてユーザ認証を行う認証手段を有し、前記書込手段は、前記設定状態と共に前記ユーザＩＤを前記記憶手段に書き込み、前記設定情報提示手段は、前記ユーザＩＤに基づいて前記記憶手段から設定情報を読み出しユーザへ提示することを特徴とする請求項１に記載の画像形成装置。
【発明の詳細な説明】
【技術分野】
【０００１】
本発明は、複写機等の画像形成装置に係り、特に、用紙設定等の各種設定操作の簡略化を図った画像形成装置に関する。
【背景技術】
【０００２】
複写機は、複写開始前において、用紙選択、拡大／縮小率設定、濃度設定、両面印刷設定等、種々の設定が必要であり、特に、拡大／縮小を行う場合や、中間色画像の複写を行う場合には、拡大／縮小率設定や濃度設定を変更して繰り返し複写を行い、最も適切な設定位置を見つける必要がある。
【０００３】
一方、従来の複写機は、再起動をしたり、新たな設定を行った場合には、それまでの設定が解除されてしまう。このため、一度設定をして複写したユーザが、しばらくして後、再度同じ設定や、その設定を僅かに変更した設定で複写を行いたいと思った場合に、もしもその間に他の人が別の印刷ジョブを行った場合、前の設定が解除されてしまい、設定を最初からやり直さなければならないという問題があった。
なお、従来の技術文献として特許文献１および特許文献２がある。
【特許文献１】特開2005-033380号公報
【特許文献２】特開2004-206179号公報
【発明の開示】
【発明が解決しようとする課題】
【０００４】
本発明は上記事情を考慮してなされたもので、その目的は、一度行った設定状態を残しておくことができ、これにより、設定操作を従来より簡略化することができる画像形成装置を提供することにある。
【課題を解決するための手段】
【０００５】
この発明は上述した課題を解決するためになされたもので、請求項１に記載の発明は、画像データを読み取る読取手段と、画像形成のための各種の設定情報を入力する入力手段と、前記設定情報に基づいて各部を設定する設定手段と、前記読取手段によって読み取られた画像データに、前記設定手段による設定に基づく所定の画像編集処理を加える画像編集手段と、前記画像編集手段による編集済みの画像データに基づいて画像形成処理を行う画像形成手段とを有する画像形成装置において、前記設定情報が記憶される記憶手段と、前記記憶手段から前記設定情報を読み出し、ユーザへ提示する設定情報提示手段と、ユーザによって選択された設定情報を前記設定手段へ出力する出力手段と、画像形成ジョブが終了した時点で各部の設定状態を前記記憶手段に書き込む書込手段と具備し、前記ユーザによって選択された設定情報は、ユーザによって設定変更可能なことを特徴とする画像形成装置である。
【０００６】
請求項２に記載の発明は、請求項１に記載の画像形成装置において、前記入力手段を介して入力されたユーザＩＤに基づいてユーザ認証を行う認証手段を有し、前記書込手段は、前記設定状態と共に前記ユーザＩＤを前記記憶手段に書き込み、前記設定情報提示手段は、前記ユーザＩＤに基づいて前記記憶手段から設定情報を読み出しユーザへ提示することを特徴とする。
【発明の効果】
【０００７】
この発明によれば、一度行った設定状態を残しておくことができ、これにより、設定操作を従来より簡略化することができる効果がある。また、請求項２の発明によれば、ユーザＩＤに対応して複写設定の履歴が記憶されるので、ユーザが望みの履歴を発見しやすい利点がある。
【発明を実施するための最良の形態】
【０００８】
以下、図面を参照し、この発明の実施の形態について説明する。図１はこの発明の一実施の形態による画像形成装置（複写機）の構成を示すブロック図である。この図において、符号１はマイクロプロセッサと、同プロセッサのプログラムが記憶されたＲＯＭ（リードオンリメモリ）２と、データ一時記憶用のＲＡＭ（ランダムアクセスメモリ）３によって構成された制御部であり、装置全体の制御を行う。４はＨＤＤ（ハードディスク）であり、スキャナ部１１によって読み取られた画像データ及び当該画像データに設定されている出力形式等を記憶する。
【０００９】
５は操作パネル部であり、タッチパネル部６および操作キー部７を含む。タッチパネル部６は、タッチパネルとＬＣＤ（Ｌｉｑｕｉｄ Ｃｒｙｓｔａｌ Ｄｉｓｐｌａｙ）表示器とを組み合わせたタッチパネルユニット等から構成され、種々の操作画面を表示するとともに、ユーザが当該部分をタッチすることにより種々の操作指令を入力するための操作ボタン等を表示する。操作キー部７は、スタートキー、テンキー等から構成され、ユーザが印刷実行指令等を入力するために用いられる。
【００１０】
スキャナ部１１は、原稿読み取り用のスキャナを構成する露光ランプ１２及びＣＣＤ（電荷結合素子）１３を含む。スキャナ部１１は、露光ランプ１２により原稿を照射し、その反射光をＣＣＤ１３で受光することにより、Ｒ（赤）、Ｇ（緑）、Ｂ（青）の各色毎に原稿画像を読み取り、読み取った画像に対応する画像データを画像処理部２１へ出力する。
【００１１】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１へ出力する。補正部２２は、読み取られた画像データに対してレベル補正、γ補正等の所定の補正処理を行う。画像加工部２３は、画像データの圧縮又は伸張処理および拡大又は縮小処理等の種々の加工処理を行う。
【００１２】
プリンタ部３１は、給紙カセットおよび給紙ローラ等から構成される用紙搬送部３２、中間転写体ローラ、感光体ドラム、露光装置および現像装置等から構成される画像形成部３３、転写ローラ等から構成される転写部３４および定着ローラ等から構成される定着部３５を含む。プリンタ部３１は、スキャナ部１１により読み取られた原稿データを記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００１３】
次に、上述した画像形成装置の動作を図２に示すフローチャートを参照して説明する。
ユーザがこの画像形成装置によって原稿の複写を作成する場合、まず、操作パネル部５の操作キー部７によって、自身が所属する部署のＩＤおよびパスワードを入力する（図２のステップＳ１）。これらのＩＤおよびパスワードが入力されると、制御部１が入力されたＩＤおよびパスワードを認証し、認証ＯＫの場合にＲＡＭ３に記憶させる。
【００１４】
次に、制御部１は、タッチパネル部６のＬＣＤ表示器に、履歴を利用するか否かを選択させるための表示を行う（ステップＳ２）。ここで、履歴とは、過去の同じ部署のユーザによる複写の設定の履歴であり、後述するように、複写終了時にＲＡＭ３内に設定状態が記憶され、履歴が１０個を越すと古い履歴から削除される。ステップＳ２の表示において、ユーザが履歴を利用しない方を選択した場合は、次に、ユーザはタッチパネル部６によって複写のための各種設定、すなわち、拡大／縮小率、複写濃度、両面印刷、複写枚数等の設定を行う（ステップＳ３）。
【００１５】
次に、ユーザは、設定した内容の確認を行い（ステップＳ４）、確認結果がＯＫの場合は、操作キー部７のジョブスタートボタンをオンとする。ジョブスタートボタンがオンとされると、制御部１が複写を実行する（ステップＳ５）。そして、設定枚数の複写が終了すると、その複写処理における設定状態が、ＲＡＭ３内のユーザの所属部署名（ＩＤ）と共に対応する記憶エリア内に記憶される（ステップＳ６）。
【００１６】
一方、ステップＳ２において、ユーザが履歴の利用を選択した場合は、次に、制御部１が、ＲＡＭ３から最も新しくＲＡＭ３内に書き込まれた、ユーザＩＤに対応する設定内容を読み出し、タッチパネル部６のＬＣＤ表示器に表示し、以後、ユーザが操作キー部７において選択のキー操作を行うまで、順次、ＲＡＭ３内に書き込まれた、ユーザＩＤに対応する設定内容を読み出し、タッチパネル部６のＬＣＤ表示器に表示する。そして、ユーザが操作キー部７において選択のキー操作を行うと、制御部１が選択された設定内容に従って複写の初期設定を行う。ユーザがこの初期設定状態についてキャンセルのキー操作を行うと（ステップＳ７が「ＮＯ」）、再びステップＳ２へ戻り、ＲＡＭ３内の設定内容が読み出され、タッチパネル部６のＬＣＤ表示器に表示される。
【００１７】
また、ユーザが上記の初期設定を利用する時は、次に、設定変更をするか否かを判断し（ステップＳ８）、変更する場合は、設定変更を行い（ステップＳ９）、次いで変更内容を確認する（ステップＳ４）。設定変更を行わない場合は初期設定状態の確認を行う。そして、確認結果がＯＫの場合は、操作キー部７のジョブスタートボタンをオンとする。以後、複写が実行され（ステップＳ５）、次いで、設定枚数の複写が終了すると、その複写処理における設定状態が、ＲＡＭ３内のユーザの所属部署名（ＩＤ）と共に記憶エリア内に記憶される（ステップＳ６）。
【００１８】
このように、上記実施形態によれば、ユーザの所属部署名（ＩＤ）に対応する記憶エリア内に複写設定の履歴が記憶されるので、ユーザが望みの履歴を発見しやすい利点がある。なお、ユーザの所属部署名に関係なく、実行されたジョブの順に履歴を記憶させてもよい。
また、上記実施形態によれば、複写ジョブの終了時においてＲＡＭ３内に設定内容を記憶させているが、これに代えて、ジョブの開始時において前回のジョブの設定内容をＲＡＭ３に記憶させてもよい。
【産業上の利用可能性】
【００１９】
この発明は、複写機や複合機等の電子写真を利用した画像形成装置に用いられる。
【図面の簡単な説明】
【００２０】
【図１】この発明の一実施形態による画像形成装置の構成を示すブロック図である。
【図２】同画像形成装置の動作を説明するためのフローチャートである。
【符号の説明】
【００２１】
１…制御部
２…ＲＯＭ
３…ＲＡＭ
５…操作パネル部
６…タッチパネル部
７…操作キー部
１１…スキャナ部
２１…画像処理部
２３…画像河口部
２４…画像メモリ
３１…プリンタ部
３３…画像形成部
【図１】
2007027827.tif 000003
【図２】
2007027827.tif 000004